(57)【要約】【課題】マウスの操作が意味をなさないような状況において生じる無駄な電力消費を抑える。【解決手段】ワイヤレスシステム１は、情報処理装置２００とワイヤレスマウス１００とを含む。情報処理装置２００は、ワイヤレスマウス１００から接続を要求する信号を検知すると接続処理を行って処理結果をワイヤレスマウス１００へと返すレシーバ２０１を有する。ワイヤレスマウス１００は、マウスの動作イベントを感知すると、情報処理装置２００に接続を試みる接続手段と、接続が失敗した場合に、マウスを休止状態へと移行させる休止状態移行手段と、として機能するマイコン１０１を有する。【選択図】図２
2010079824.tif 000002
【特許請求の範囲】
【請求項１】
情報処理装置と該情報処理装置のポインティングデバイスとして機能するワイヤレスマウスとを含むワイヤレスシステムであって、
前記情報処理装置は、前記ワイヤレスマウスから装置への接続を要求する信号を検知すると接続処理を行って処理結果を前記ワイヤレスマウスへと返すレシーバを有し、
前記ワイヤレスマウスは、マウスの動作イベントを感知すると、前記情報処理装置に接続を試みる接続手段と、
前記接続手段による接続が失敗した場合に、マウスを休止状態へと移行させる休止状態移行手段と、を有することを特徴とする、ワイヤレスシステム。
【請求項２】
前記ワイヤレスマウスは、マウスの動作イベントを感知し、前記接続手段による接続が成功すると、前記情報処理装置の電源状態を取得する要求を示す信号を発する電源状態取得手段を有し、
前記レシーバは、前記ワイヤレスマウスから電源状態を取得する要求を示す信号を検知すると装置の電源状態を返し、
前記休止状態移行手段は、前記電源状態が電源ＯＦＦであれば、マウスを休止状態へと移行させることを特徴とする、請求項１記載のワイヤレスシステム。
【請求項３】
情報処理装置のポインティングデバイスとして機能するワイヤレスマウスであって、
マウスの動作イベントを感知すると、前記情報処理装置に接続を試みる接続手段と、
前記接続手段による接続が失敗した場合に、マウスを休止状態へと移行させる休止状態移行手段と、
を有することを特徴とする、ワイヤレスマウス。
【請求項４】
マウスの動作イベントを感知し、前記接続手段による接続が成功すると、前記情報処理装置の電源状態を取得する要求を示す信号を発する電源状態取得手段を有し、
前記休止状態移行手段は、前記電源状態が電源ＯＦＦであれば、マウスを休止状態へと移行させることを特徴とする、請求項３記載のワイヤレスマウス。
【請求項５】
前記休止状態は、マウスの動作イベントを感知するセンサの機能を停止させるものであることを特徴とする、請求項３又は４記載のワイヤレスマウス。
【請求項６】
情報処理装置のポインティングデバイスとして機能するワイヤレスマウスの制御方法であって、
マウスの動作イベントを感知すると、前記情報処理装置に接続を試みる接続工程と、
前記接続工程における接続が失敗した場合に、マウスを休止状態へと移行させる休止状態移行工程と、
を含むことを特徴とする、ワイヤレスマウスの制御方法。
【請求項７】
マウスの動作イベントを感知し、前記接続工程により接続が成功すると、前記情報処理装置の電源状態を取得する要求を示す信号を発する電源状態取得工程を含み、
休止状態移行工程では、前記電源状態が電源ＯＦＦであれば、マウスを休止状態へと移行させることを特徴とする、請求項６記載のワイヤレスマウスの制御方法。
【請求項８】
情報処理装置のポインティングデバイスとして機能するワイヤレスマウスに、
マウスの動作イベントを感知すると、前記情報処理装置に接続を試みる接続工程と、
前記接続工程における接続が失敗した場合に、マウスを休止状態へと移行させる休止状態移行工程と、
を実行させることを特徴とする、プログラム。
【請求項９】
前記ワイヤレスマウスに、
マウスの動作イベントを感知し、前記接続工程により接続が成功すると、前記情報処理装置の電源状態を取得する要求を示す信号を発する電源状態取得工程を実行させ、
前記休止状態移行工程では、前記電源状態が電源ＯＦＦであれば、マウスを休止状態へと移行させる処理を実行させることを特徴とする、請求項８記載のプログラム。
【発明の詳細な説明】
【技術分野】
【０００１】
本発明は、ワイヤレスシステム、ワイヤレスマウス、その制御方法及びプログラムに関し、特に、ワイヤレスマウスの省電力に関する。
【背景技術】
【０００２】
本発明に関連する技術が記載されている文献として、特許文献１を挙げる。特許文献１は、ワイヤレス式マウスにおいて、マウスのボールが実際に動いてマウスの移動が生じたことを、マウスのＣＰＵのスリープモード解除の条件に加えることによって、電池寿命の更なる延長を実現しようとする技術を開示する。
【特許文献１】特開平１１−２２４１５８号公報
【発明の開示】
【発明が解決しようとする課題】
【０００３】
ワイヤレスマウスの省電力に係る技術としては、いくつかの方法がある。
第１の方法は、ワイヤレスマウスにおいて、マウスが操作されていないときは、内部タイマーを用いて、段階的に省電力モードに移行し、未使用時の電力を削減するようにするものである。また、第２の方法は、ワイヤレスマウスの電力供給をＯＮ／ＯＦＦするスイッチを設け、ユーザにスイッチを操作させる方法である。また、他の方法としては、モーションセンサを内蔵し、マウスが動いていないときは即座に省電力に移行する方法や、ボール式マウスの場合においてボールの動作状況を確認して省電力に移行する方法もある。
【０００４】
しかしながら、上述の技術は、ユーザによるマウス操作が意味をなさない状況においても、ユーザによるマウス操作を検知した場合レシーバ側のパーソナルコンピュータへの接続を継続的に試みてしまうという問題があった。そのため、省電力の観点からいうと、まだ無駄な電力消費が存在している可能性がある。マウスの操作が意味をなさない状況とは、レシーバ側のパーソナルコンピュータの電源がＯＦＦされているような状況や、そもそもレシーバが動作しておらずワイヤレス接続ができないような状況である。
【０００５】
そこで本発明は、上記実情に鑑みて、マウスの操作が意味をなさない状況において生じる無駄な電力消費を抑えたワイヤレスシステム、ワイヤレスマウス、その制御方法及びプログラムを提供することを目的とする。
【課題を解決するための手段】
【０００６】
上記目的を達成するために本発明は、以下の特徴を備える発明を提供する。
【０００７】
本発明に係るワイヤレスシステムは、情報処理装置と該情報処理装置のポインティングデバイスとして機能するワイヤレスマウスとを含むワイヤレスシステムであって、前記情報処理装置は、前記ワイヤレスマウスから装置への接続を要求する信号を検知すると接続処理を行って処理結果を前記ワイヤレスマウスへと返すレシーバを有し、前記ワイヤレスマウスは、マウスの動作イベントを感知すると、前記情報処理装置に接続を試みる接続手段と、前記接続手段による接続が失敗した場合に、マウスを休止状態へと移行させる休止状態移行手段と、を有することを特徴とする。
【０００８】
また、本発明に係るワイヤレスマウスは、情報処理装置のポインティングデバイスとして機能するワイヤレスマウスであって、マウスの動作イベントを感知すると、前記情報処理装置に接続を試みる接続手段と、前記接続手段による接続が失敗した場合に、マウスを休止状態へと移行させる休止状態移行手段と、を有することを特徴とする。
【０００９】
また、本発明に係るワイヤレスマウスの制御方法は、情報処理装置のポインティングデバイスとして機能するワイヤレスマウスの制御方法であって、マウスの動作イベントを感知すると、前記情報処理装置に接続を試みる接続工程と、前記接続工程における接続が失敗した場合に、マウスを休止状態へと移行させる休止状態移行工程と、を含むことを特徴とする。
【００１０】
また、本発明に係るプログラムは、情報処理装置のポインティングデバイスとして機能するワイヤレスマウスに、マウスの動作イベントを感知すると、前記情報処理装置に接続を試みる接続工程と、前記接続工程における接続が失敗した場合に、マウスを休止状態へと移行させる休止状態移行工程と、を実行させることを特徴とする。
【発明の効果】
【００１１】
本発明によれば、マウスの操作が意味をなさない状況において生じる無駄な電力消費を抑えたワイヤレスシステム、ワイヤレスマウス、その制御方法及びプログラムを提供することが可能となる。
【発明を実施するための最良の形態】
【００１２】
以下、本発明の好適な実施の形態について図面を参照して説明する。
【００１３】
図１に、本実施形態に係るワイヤレスシステムの全体構成例を示す。
図示のように、ワイヤレスシステム１は、情報処理装置２００とワイヤレスマウス１００（以下、「マウス１００」と略することがある）とを含み、情報処理装置２００は、レシーバ２０１によりマウス１００からの無線信号を受信している。また、マウス１００は、情報処理装置２００のポインティングデバイスとして機能している。なお、ワイヤレスシステム１は、キーボード２０２やリモコン２０３などを含んでいてもよい。以下、マウス１００の構成について説明する。
【００１４】
図２に、本実施形態に係るワイヤレスマウス１００の構成を示す。
図示のように、マウス１００は、マイコン１０１、無線（ＲＦ）送受信回路（ＩＣ）１０２、レーザダイオード（ＬＤ）１０３、マウスセンサＩＣ１０４、スイッチ（ＳＷ）１０５を有する。他に、図示しないボタンやホイールボタンをいくつか備えていてもよい。以下、各部について説明する。
【００１５】
マイコン１０１は、ＲＦ送受信ＩＣ１０２、マウスセンサＩＣ１０４と制御線で接続されており、これらを制御する。また、マイコン１０１は、ＲＦ送受信ＩＣ１０２、ＬＤ１０３、マウスセンサＩＣ１０４等への電力供給のＯＮ／ＯＦＦを行うＳＷ１０５を制御する。また、マイコン１０１は、マウスセンサＩＣ１０４からモーション発生信号を受け取り、マウス１００に動作イベントが発生したことを感知する。
【００１６】
ＲＦ送受信ＩＣ１０２は、マイコン１０１の制御に基づいて、レシーバ２０１と無線信号の送受信を行う回路である。ＲＦ送受信ＩＣ１０２が送信する送信信号には、情報処理装置２００への接続要求信号、情報処理装置２００の電源状態を取得するための電源状態要求信号、情報処理装置２００にマウスセンサＩＣ１０４が検出した移動方向及び移動距離等の情報を送るためのモーションデータ送信信号等が含まれる。
【００１７】
ＬＤ１０３は、マウスが置かれている操作面に対して発光する発光手段として機能する。この発光に対する操作面からの反射光は、マウスセンサＩＣ１０４によって受光される。なお、本実施形態においては発光手段としてレーザダイオードを用いたが、これに限定はしない。他に、赤色発光ダイオード、青色発光ダイオード、赤外線等、種々の発光手段を用いることができる。
【００１８】
マウスセンサＩＣ１０４は、ＬＤ１０３が発した光の反射光を受光し、マウス１００が動いたことを感知する。マウスセンサＩＣ１０４は、マウス１００の動きを感知した場合、マイコン１０１にモーション発生信号を発し、マウス１００の動作イベントを感知したことを伝える。
【００１９】
次に、本実施形態の動作について説明する。
図３に、本実施形態におけるレシーバ２０１−マウス１００間の情報のやりとりを示す。
【００２０】
マウス１００は、マウスセンサＩＣ１０４の機能によって動作イベントを感知すると（ステップＳ１０１）、レシーバ２０１に対して情報処理装置２００への接続要求を送信する（ステップＳ１０２）。マウス１００から接続要求を受信したレシーバ２０１は、これに対し、接続処理を行い、接続がＯＫになった旨の信号を返す（ステップＳ１０３）。
【００２１】
マウス１００は、接続が確立されると、次に、情報処理装置２００の電源状態を取得するための電源状態要求信号を送信する（ステップＳ１０４）。レシーバ２０１は、これに対し、情報処理装置２００の電源状態を調べ、情報処理装置２００から得た電源状態の値をマウス１００に返す（ステップＳ１０５）。
【００２２】
図３に示した例では、電源状態が「電源ＯＮ」である場合を示している。情報処理装置２００の電源状態が電源ＯＮであるような場合、マウス１００は、続いて、情報処理装置２００にマウスセンサＩＣ１０４が検出した移動方向及び移動距離等の情報を送るためのモーションデータを送信する（ステップＳ１０６）。モーションデータの送信は、前のモーションデータ送信のあと所定の時間以内（例えば、５秒以内等）は、ステップＳ１０２〜１０５を省略して、連続的に送ることとしてもよい（ステップＳ１０６ａ等）。
【００２３】
本実施形態におけるマウス１００と情報処理装置２００との接続について、説明する。図３に示したような、接続ＯＫとなるような状態は、情報処理装置が存在し、データを送ることができる状態をいう。なお、例えば、１秒以上正常にデータを送ることができない状態が続いたような場合は、混信防止のため、接続を解除するよう構成してもよい。
【００２４】
本実施形態における情報処理装置２００の電源状態について、説明する。情報処理装置２００は、電源ＯＮ（動作中）、Ｓｌｅｅｐ（省電力モード中）、電源ＯＦＦ（非動作中）の３通りの電源状態を有し、レシーバ２０１は、マウス１００からの電源状態取得要求に対し、この３通りを通知する。なお、電源状態は、さらに異なるモード（例えば、バリエーションの異なる複数の省電力モード等）を備えていてもよい。
【００２５】
なお、マイコン１０１が情報処理装置の電源状態に基づいて強制休止処理へ移行するか否かを決定するロジックは、本実施形態においては、電源ＯＦＦであるか否かとしたが、これに限定されない。すなわち、レシーバ側の機器にとってマウスの操作が何も意味をなさないことをレシーバ側からマウス側へ送信し、マウスはこれを受けて強制休止処理を行うよう構成してもよい。
【００２６】
次に、図３に示した本実施形態の動作の、マウス１００側の処理手順を説明する。
図４に、本実施形態に係るワイヤレスマウス１００の動作の流れを示す。
【００２７】
図４に示す処理は、動作イベントの認識があった場合に開始される。動作イベントの認識があると、まず、マイコン１０１は、ＲＦ送受信ＩＣ１０２を用いて接続処理を行う（ステップＳ２０１）。
【００２８】
マイコン１０１は、レシーバ２０１からレスポンスがあり接続ができた場合は（ステップＳ２０２、はい）、電源状態取得を行う（ステップＳ２０３）、接続ＯＫではなかった場合（ステップＳ２０２、いいえ）、強制休止処理へ移行する。なお、ここで、電波の不良やエラーなどにより、たまたま１回で接続ＯＫのレスポンスを受信できなかった場合に適切に対応するため、ステップＳ２０２のいいえのあとに、何度か接続処理を試みて、所定の回数失敗したあとに強制終了処理へ移行するよう構成してもよい。
【００２９】
マイコン１０１は、情報処理装置２００の電源状態を取得する処理を、ＲＦ送受信ＩＣ１０２に電源状態要求信号を送信させることによって実行し（ステップＳ２０３）、情報処理装置２００から帰ったレスポンスの結果に基づき、電源ＯＦＦか否かを判断する（ステップＳ２０４）。
【００３０】
電源ＯＦＦであれば（ステップＳ２０４、はい）、強制休止処理へ移行し、電源ＯＦＦでなければ（ステップＳ２０４、いいえ）、モーションデータ送信を行う（ステップＳ２０５）。
【００３１】
次に、図４で言及した強制休止処理について説明する。
図５に、本実施形態に係るワイヤレスマウス１００の強制休止動作の流れを示す。
【００３２】
強制休止処理において、まず、センサを強制シャットダウンする（ステップＳ３０１）。ここで、センサには、ＬＤ１０３やマウスセンサＩＣ１０４の他、クリックを検知するボタン等も含むこととする。強制シャットダウンの時間は、例えば、１秒程度とし、しばらくユーザの操作を受け付けない状態に移行する。
【００３３】
次に、マイコン１０１を例えば１秒間停止させる。マイコン１０１もスリープ状態にすることによって省電力の効果を高める。
【００３４】
次に、シャットダウン状態となっていたセンサが復帰していれば、センサを休止状態（スリープ状態）にする。その深度は最大として、省電力の効果を高める。
【００３５】
次に、上述した本実施形態の作用効果について説明する。
図６に、本実施形態に係るワイヤレスマウスの消費電力を説明するための図を示す。本実施形態において、情報処理装置２００の電源状態が電源ＯＮである場合、すなわち、動作中の場合、マウス１００の各部の消費電力は、概略図６に示すように推移する。
【００３６】
ＲＦ送受信ＩＣ１０２、マイコン１０１、マウスセンサＩＣ１０４の各部は、待機フェーズにおいては、スリープ状態であるが、マウスセンサＩＣ１０４が動作イベントを感知すると、図示のように次々にＲｕｎ状態になり、レシーバ２０１への接続を試みる。
【００３７】
しかしながら、上述した本実施形態の構成によると、電源状態取得処理の結果、情報処理装置２００の電源状態が電源ＯＦＦであった場合、図６中、点線矢印で示したｐの時点でマウス１００は強制休止処理を行う。すなわち、ｐの時点から休止フェーズ程度の消費電力しか要さないこととなり、省電力の効果が高まる。
【００３８】
基本的に、ワイヤレス端末からレシーバへの単方向の通信しか行わないワイヤレスシステムに比して、本実施形態のワイヤレスシステムは、情報処理装置２００の電源状態をマウス１００に通知することにより、マウス１００側で情報処理装置の状態を把握できるようにしている。
【００３９】
マウス１００は、動作イベントを感知した場合に、情報処理装置２００の電源状態を確認し、情報処理装置２００が操作等を受け付けられない状態であった場合は、即座に休止状態に移行する。したがって、パソコン等レシーバ側の電源がＯＦＦの場合など、マウスの動作が意味をなさない状況においてもマウスを操作するとマウスが動作してモーションデータの送信をしてしまい無駄な電力を消費するというようなことがない。
【００４０】
また、情報処理装置２００の電源が落ちていることを知らずにユーザが引き続きマウスを操作している可能性もあるため、１秒程度、ユーザの操作を受け付けない状態に移行し、動作イベントを認識しても何もしないようにして、省電力の効果を上げる。
【００４１】
本発明が適用されていないワイヤレスシステムにおいて、ＰＣがＯＦＦの時にマウスを触ると、１秒に１００回程度の通信を行う。一方で、上記本実施形態のワイヤレスシステムでは、ＰＣがＯＦＦの時にマウスに触っても、１秒間に２回から４回の通信で終了し、センサも最大限ＯＦＦにできるため、省電力に貢献することができる。
【００４２】
以上、本発明の好適な実施の形態について説明したが、本発明はこれに限定されるものではなく、要旨を逸脱しない範囲内で種々の変形実施が可能である。
【図面の簡単な説明】
【００４３】
【図１】本発明による実施形態に係るワイヤレスシステム全体構成例を示す図である。
【図２】本発明による実施形態に係るワイヤレスマウスの構成を示す図である。
【図３】本発明による実施形態におけるレシーバ−マウス間の情報のやりとりを示すタイミングチャート図である。
【図４】本発明による実施形態に係るワイヤレスマウスの動作の流れを示すフローチャート図である。
【図５】本発明による実施形態に係るワイヤレスマウスの強制休止動作の流れを示すフローチャート図である。
【図６】本発明による実施形態に係るワイヤレスマウスの消費電力を説明するための図である。
【符号の説明】
【００４４】
１    ワイヤレスシステム
１００    ワイヤレスマウス
１０１    マイコン
１０２    ＲＦ送受信ＩＣ
１０３    レーザダイオード
１０４    マウスセンサＩＣ
１０５    スイッチ
２００    情報処理装置
２０１    レシーバ
【図１】
2010079824.tif 000003
【図２】
2010079824.tif 000004
【図３】
2010079824.tif 000005
【図４】
2010079824.tif 000006
【図５】
2010079824.tif 000007
【図６】
2010079824.tif 000008